(57)【要約】【課題】  電源がＯＮ状態のとき、メモリカードが抜脱されると盗難防止機能が働くようにする。そして、正当な使用者がメモリを抜脱するときは盗難報知機能が働かないようにする。更に、電源がＯＦＦ状態であっても盗難防止機能が働くようにする。【解決手段】  着脱可能なメモリカードを有する電子機器において、前記メモリカードの抜脱を検出する検出手段と、盗難報知を行う報知回路と、該報知回路の報知機能をＯＮ／ＯＦＦ設定する設定手段と、前記検出手段によりメモリカードの抜脱を検出したときに前記報知機能がＯＮに設定されていた場合は盗難報知を行わせ、ＯＦＦに設定されていた場合は前記報知機能を禁止させる制御手段を備える。また、前記検出手段は前記メモリカードが抜脱された時に装置の電源を供給するスイッチを備える。【選択図】        図２
2005157766.tif 000002
【特許請求の範囲】
【請求項１】
着脱可能なメモリカードを有する電子機器において、
前記メモリカードの抜脱を検出する検出手段と、盗難報知を行う報知回路と、該報知回路の報知機能をＯＮ／ＯＦＦ設定する設定手段と、該設定手段の設定情報を記憶する記憶手段と、
前記検出手段によりメモリカードの抜脱を検出したときに前記報知機能がＯＮに設定されていた場合は盗難報知を行わせ、ＯＦＦに設定されていた場合は前記報知機能を禁止させる制御手段を備えたことを特徴とする電子機器。
【請求項２】
前記記憶手段は電源が供給されなくても記憶内容を保持する不揮発性メモリであり、前記検出手段は前記メモリカードが抜脱されたときに装置内に電源を供給するスイッチを備え、該電源供給により少なくとも前記報知回路と前記制御手段と前記記憶手段が動作可能になることを特徴とする請求項１に記載の電子機器。
【発明の詳細な説明】
【技術分野】
【０００１】
着脱可能なメモリの防犯機能を有する電子機器に関する。
【背景技術】
【０００２】
スマートメディア（Smart Media（登録商標））、コンパクトフラッシュ（登録商標）（Compact Flash）、メモリスティック（Memory Stick）、ＳＤカード（Secure Digital Card）やマルチメディアカード（Multi Media Card）等の着脱可能なメモリカードを有するパソコン、ＰＤＡ（Personal Digital Assistance、携帯情報端末）、携帯電話装置、音楽再生装置、デジタルカメラ、やビデオカメラ等の電子機器が現在多く市販されている。メモリカードにはプライベート情報を含む種々の情報が書き込まれる。
【０００３】
これらのメモリカードは、装着する時に突出したボタンを押すことにより、メモリカードの挿入口よりメモリカードが僅か露出し、それをつかんで誰でも容易に抜脱することができるものであった。このために、盗難の問題があった。
【０００４】
そこで、メモリカードを電動で排出することにより電源ＯＦＦ時は排出できないようにする方法（例えば、特許文献１参照）が考えられた。
【特許文献１】特開２００３−１３２３８５号公報（第１頁）
【発明の開示】
【発明が解決しようとする課題】
【０００５】
しかしながら、上述の方法では電子機器の電源がＯＮのときに盗難防止の機能が働かないという問題があった。そして、もし、電子機器の電源がＯＮのときに盗難防止の機能を働かせるようにした場合、使用者がメモリカードを抜脱するときに盗難防止の機能が働くという問題があった。
【課題を解決するための手段】
【０００６】
本発明の電子機器はかかる点に鑑みなされたもので、着脱可能なメモリカードを有する電子機器において、
前記メモリカードの抜脱を検出する検出手段と、盗難報知を行う報知回路と、該報知回路の報知機能をＯＮ／ＯＦＦ設定する設定手段と、該設定手段の設定情報を記憶する記憶手段と、
前記検出手段によりメモリカードの抜脱を検出したときに前記報知機能がＯＮに設定されていた場合は盗難報知を行わせ、ＯＦＦに設定されていた場合は前記報知機能を禁止させる制御手段を備える。
【０００７】
また、前記記憶手段は電源が供給されなくても記憶内容を保持する不揮発性メモリであり、前記検出手段は前記メモリカードが抜脱されたときに装置内に電源を供給するスイッチを備え、該電源供給により少なくとも前記報知回路と前記制御手段と前記記憶手段が動作可能になる。
【発明の効果】
【０００８】
本願発明は、メモリが抜脱されたことを検出して盗難報知を行うので、電源がＯＮ状態のときにメモリカードが抜脱されても盗難防止機能が働く。そして、正当な使用者がメモリを抜脱するときは盗難報知機能をＯＦＦに設定すればよい。
【０００９】
また、電子機器の電源がＯＦＦのときはメモリの抜脱を検出するスイッチにより電源が供給されて盗難報知を行う。
【００１０】
また、多くの電子機器は制御回路、設定手段、記憶手段と音声出力手段を有しているので、ハード構成としては、メモリカードの抜脱を検出する検出手段（例えば、スイッチ）を追加するのみで本願発明を実施することができる。
【発明を実施するための最良の形態】
【００１１】
本発明の実施の形態を、携帯電話装置を例に図面に基づき説明する。図１は実施例の要部の構成を示すブロック図である。本実施例の携帯電話装置は、同じ周波数のキャリアを同一セルで複数利用するＣＤＭＡ方式の携帯電話装置である。
【００１２】
（１）は通信部であり、後述のベースバンド部（３）からの信号をアンテナ（２）を介して基地局へ発信したり、アンテナ（２）を介して基地局からの電波を受信したりする。
【００１３】
（３）はベースバンド部であり、CＤＭＡ処理回路（３１）と音声コーデック（３２）を有する。CＤＭＡ処理回路（３１）は符号分割多元接続、スクランブル、誤り制御、タイミング検出を行う。音声コーデック（３２）は音声を圧縮（符号化）・伸張（復号化）したり、アナログとディジタルの変換を行ったり、内部の増幅回路（図示せず）により受話音量やマイクロホンの感度を変更する。
【００１４】
（４）は耳にあてて通話に使用されるスピーカであり、増幅回路（５）で増幅されたベースバンド部（３）の電気信号を音声に変換する。（６）は通話に使用されるマイクロホンであり、音声を電気信号に変換する。（７）は増幅回路であり、マイクロホン（６）の出力を増幅してベースバンド部（３）に出力する。（８）は通話を周囲の人にも聞かせるためのスピーカであり、耳用のスピーカ（４）が配設される面の背面に配設される。このスピーカ（８）は増幅回路（９）で増幅されたベースバンド部（３）の電気信号を音声に変換する。また、スピーカ（８）は着信報知の鳴動も行う。
【００１５】
（１０）は切替回路であり、３つの夫々の増幅回路（５）（７）（９）と、ベースバンド部（３）との接続を後述の制御回路（１１）の制御によりＯＮ／ＯＦＦする。尚、これら３つの増幅回路（５）（７）（９）はゲインを固定しており、受話音量やマイクロホンの感度を変更することはできない。受話音量やマイクロホンの感度の変更は制御回路（１１）の制御によりベースバンド部（３）の音声コーデック（３２）が行う。
【００１６】
（１１）はマイクロプロセッサからなる制御回路であり、動作のプログラムを記憶した不揮発性のＲＯＭ（１２）に基づき各部を制御する。（１３）はＲＡＭであり、制御回路（１１）の動作に必要な情報を記憶する。
【００１７】
（１４）は液晶の表示部であり、電話番号、時刻、通話圏内か否かのマーク、文字メッセージの有無や音声メッセージの有無等を表示する。（１５）はバイブレータであり、制御回路（１１）の制御に基づき着信時に振動を発生させる。（１６）はCCD方式のカメラであり、撮像する。（１７）はＳＤカードのメモリカードであり、カメラ（１６）が撮像した画像や住所録を記憶する。
【００１８】
（１８）は入力手段であり、電話番号の入力等を行うテンキー（１８１）と、通話の開始を操作する通話キー（１８２）と、通話の終了を操作する終話キー（１８３）と、装置の電源のＯＮ／ＯＦＦを操作する電源キー（１８４）と、警報報知のＯＮ／ＯＦＦ設定を操作する報知キー（１８５）を有する。
【００１９】
（１９）は充電式電池からなるＤＣ３．６Ｖの内部電源である。（２０）は電源キー（１８４）の操作に基づく制御回路（１１）の制御により回路の断続を行う第１のスイッチであり、内部電源の装置内への供給をＯＮ／ＯＦＦする。
【００２０】
（２１）はメモリカード（１７）が装着されているときはＯＦＦになり、メモリカード（１７）が抜脱されるとＯＮになる第２のスイッチであり、内部電源の装置内への供給をＯＮ／ＯＦＦすると共に、ＯＮ情報を制御回路（１１）に出力する。第２のスイッチ（２１）はメモリカード（１７）が抜脱されると接点が閉じ、挿入されると接点が開くスイッチである。
【００２１】
第１のスイッチ（２０）と第２のスイッチ（２１）のいずれか一つでもＯＮになると、内部電源が装置内に供給される。内部電源が装置内に供給されと、装置内の各部が動作可能になる。
【００２２】
次に盗難防止の報知機能について説明する。本装置は盗難報知を行う報知モードを有する。報知キー（１８５）を操作する度に、この報知モードの設定がＯＮ／ＯＦＦ切り替わる。この報知モードの設定はＲＯＭ（１２）に記憶され、内部電源が装置内に供給されなくても、記憶内容を保持することができる。装置に盗難の報知はスピーカ（８）から警報音が発せられると共に、所定のアドレス例えば警察署や管理者のパソコンに盗難発生を知らせる文章のメールが発信される。
【００２３】
図２は制御回路（１１）の動作を示すフローチャートである。メモリカード（１７）が抜脱され内部電源が装置内に供給さたとき（Ｓ１のＹ）、盗難報知の設定がＯＮになっていれば（Ｓ２のＹ）、警報音を発せさせると共に盗難報知のメールを送信させる（Ｓ３）。盗難報知の設定がＯＮになっていなければ（Ｓ２のＮ）、盗難報知を行わない。即ち、正当な使用者がメモリカード（１７）の交換を行うときは、報知モードをＯＦＦに設定すればよい。
【００２４】
尚、メモリカード（１７）が抜脱されたときに電源がＯＦＦであっても、第２スイッチ（２１）により、装置内の各部に内部電源が供給されるので盗難報知の動作を行うことができる。したがって、盗難されるときの電源のＯＮ／ＯＦＦ状態に関係なく、盗難報知を行うことができる。
【００２５】
また、通常電源をONにする携帯電話装置のように、電源ＯＦＦのときは盗難報知を行わなくてもよいという電子機器であれば、第２のスイッチ（２１）はメモリカード（１７）の装着状態を制御回路（１１）に出力する機能のみでよく、より小型化できる。
【００２６】
また、本実施例のメモリカードはＳＤカードであり、電子機器は携帯電話装置であったが、これに限定するものではない。
【図面の簡単な説明】
【００２７】
【図１】本発明の要部の構成を示すブロック図である。
【図２】本発明の実施例を示すフローチャートである。
【符号の説明】
【００２８】
８  スピーカ
１１  制御回路
１７  メモリカード
１９  内部電源
２１  第２のスイッチ
１８５  報知キー
【図１】
2005157766.tif 000003
【図２】
2005157766.tif 000004